(57)【要約】【課題】  コンクリートスラブの貫通孔に支持金具を用いて排水集合管を簡単に設置できるようにする。【解決手段】  支持金具３を対向一対の水平固定片３１と，この固定片３１から傾斜配置した連結板３３を介して水平に設置した支持バンド３４とを備えて形成するとともに該支持バンド３４を上下端を上端径大にして下端径小の同心円をなすように内周を傾斜面とした逆裁頭円錐形一体にしてその内周面に防振材３５を配置したものとし，この支持金具３をコンクリートスラブ１の貫通孔１１にセットした後にその支持バンド３４に対して排水集合管２を落とし込むように設置する。支持バンド３４がＡ排水集合管２の傾斜胴部２３に面接して排水集合管２の安定支持を行なうとともに排水集合管２の設置が横枝管の接続に適した位置でなされる。【選択図】        図３
2006105242.tif 000002
【特許請求の範囲】
【請求項１】
コンクリートスラブの貫通孔縁部に載置固定する固定片と，上記貫通孔内で排水集合管の胴部を被嵌支持するように上記固定片に設置した支持バンドとを備え，該支持バンドをその上下端を上端径大にして下端径小の同心円をなすように内周を傾斜面とした逆裁頭円錐形一体にしてその内周面に防振材を配置して形成し，上記排水集合管を上記貫通孔内の下向き傾斜胴部において被嵌支持自在としてなることを特徴とする排水集合管支持金具。
【請求項２】
コンクリートスラブの貫通孔縁部に載置固定する固定片と，上記貫通孔内で排水集合管の胴部を被嵌支持するように上記固定片に設置した支持バンドと，該支持バンドに，該支持バンドに進退自在に配置して排水集合管の被嵌支持した胴部に圧接して支持バンドを該胴部に固定する固定ネジとを備え，上記支持バンドをその上下端を上端径大にして下端径小の同心円をなすように内周を傾斜面とした逆裁頭円錐形一体にしてその内周面に防振材を配置して形成し，上記排水集合管を上記貫通孔内の下向き傾斜胴部において被嵌支持自在としてなることを特徴とする排水集合管支持金具。
【請求項３】
固定片と，コンクリートスラブの貫通孔内で排水集合管の胴部を被嵌支持するように上記固定片に設置した支持バンドとを備え，該支持バンドをその上下端を上端径大にして下端径小の同心円をなすように内周を傾斜面とした逆裁頭円錐形一体にしてその内周面に防振材を配置して形成した支持金具を用い，コンクリートスラブの貫通孔縁部に上記固定片を載置して該貫通孔内に支持バンドを配置する支持金具設置工程と，該貫通孔内の支持バンドに配管集合管を落し込み該排水集合管の下向き傾斜胴部を支持バンドに被嵌支持して貫通孔内に排水集合管を設置支持する排水集合管設置工程と，該排水集合管設置工程の前又は後に上記貫通孔縁部に載置した固定片をアンカーによってコンクリートスラブに固定する支持金具固定工程とを備えてなることを特徴とする排水集合管設置方法。
【請求項４】
固定片と，コンクリートスラブの貫通孔内で排水集合管の胴部を被嵌支持するように上記固定片に設置した支持バンドと，該支持バンドで被嵌支持した排水集合管の胴部に圧接自在の固定ネジとを備え，上記支持バンドをその上下端を上端径大にして下端径小の同心円をなすように内周を傾斜面とした逆裁頭円錐形一体にしてその内周面に防振材を配置して形成した支持金具を用い，上記排水集合管の下向き傾斜胴部に支持バンドを被嵌支持し固定ネジを傾斜胴部に圧接して支持金具を排水集合管に装着する支持金具装着工程と，該支持金具を装着した排水集合管を貫通孔内に落し込みコンクリートスラブの貫通孔縁部に上記固定片を載置して該貫通孔内に排水集合管を設置支持する排水集合管設置工程と，上記貫通孔縁部に載置した固定片をアンカーによってコンクリートスラブに固定する支持金具固定工程とを備えてなることを特徴とする排水集合管設置方法。
【発明の詳細な説明】
【技術分野】
【０００１】
本発明はマンション等建物において排水集合管を設置するに使用する排水集合管支持金具及びこれを用いた排水集合管設置方法に関する。
【背景技術】
【０００２】
この種排水集合管支持金具として，本発明者の提案によるものが知られており，これによれば，例えばコンクリートスラブの貫通孔縁部に載置固定する対向一対の固定片と，貫通孔内で排水集合管の胴部を被嵌支持するように上記各固定片に設置しそれぞれ円周方向両端部に締着片を配置した１／２円にして一対の支持バンドとを備えたものが知られており，この場合一対の支持バンドは対向一対の固定片にそれぞれ段差をなすように配置したものとされ，該一対の支持バンドによって排水集合管の垂直胴部を挟み込み，相互に対接する締着片をボルトナットで締着固定するようにしたものとされている。
【０００３】
【特許文献１】特開２００２−１３０５３５号公報
【発明の開示】
【発明が解決しようとする課題】
【０００４】
この場合従来のものに比して排水集合管の設置を容易化するとともに排水集合管を安定して支持し得るものとすることができ，また排水集合管を設置したコンクリートスラブ近傍が雑然となってその後の仕上げ工事の障害となるのを解消するメリットを得られるが，一方で排水集合管設置作業に煩雑性が残っており，その解消が望まれる。
【０００５】
即ち排水集合管は横枝管を接続して横枝管からの排水を流下するように設置使用されるが，横枝管を配置する床下空間の高さが制約されており，該横枝管は排水を流すために流れ勾配を持って排水集合管に導き，該流れ勾配の端末位置で排水集合管の継手に接続するものとされる。排水集合管の継手がコンクリートスラブに接触すると排水の騒音が伝わるから，これを避けるように排水集合管はその継手がコンクリートスラブから僅かに浮くようにその表面に数ミリ程度に近接した状態に設置される必要もある。このため上記排水集合管支持金具を使用した場合には，その支持バンドによって排水集合管を挟み込み支持する垂直胴部の位置出しが厳密化することになり，この挟み込み支持する垂直胴部の位置が上下方向にずれると排水集合管と横枝管との接続が不能となるという結果となる。従ってこの場合，例えば継手がその設置状態でコンクリートスラブから浮くように垂直胴部の位置出しを行なって該垂直胴部に油性ペン等でマーキングを施した上，該マーキングに合せて垂直胴部の両側に一対の支持バンドを配置し該垂直胴部を一対の支持バンドで挟み込み，その円周方向両端の締着片を対接して垂直胴部２ヶ所でボルトナットによる締着固定を行なう必要が生じて，排水集合管設置の作業が煩雑化する傾向がある。
【０００６】
本発明はかかる事情に鑑みてなされたもので，その解決課題とするところは，上記支持金具のメリットを維持しつつ煩雑な作業を必要とせずに，排水集合管の設置を可及的簡易且つ安定してなし得るようにした排水集合管支持金具及びこれを用いた排水集合管設置方法を提供するにある。
【課題を解決するための手段】
【０００７】
上記課題に沿って本発明は，排水集合管は，上記横枝管との継手を配置した径大円筒の垂直胴部と，該垂直胴部と排水立管接続のための下端継手との間にその径を順次径小化して排水立管の径に合わせるように下方に向けて径小化した下向き傾斜胴部とを備えた形態のものとされる点に着目し，傾斜胴部の所定位置における径と傾斜角度に合せて傾斜帯状にして円形一体の支持バンドを形成するとともに該支持バンドをコンクリートスラブの表面に載置固定するように複数箇所に設置し又は平面円形のフランジとした固定片から下方に所定の間隔を隔ててコンクリートスラブの貫通孔内に配置するように設置すれば，単に支持バンドを排水集合管の下端から嵌め込むか，支持バンドに排水集合管を落とし込むことによって，支持バンドが傾斜胴部に面接してその安定且つ確実な挟み込み支持を行なうとともに傾斜胴部の挟み込み支持の位置が定まることによってその位置出しを自ずとなし得るようにしたものであって，即ち請求項１に記載の発明を，コンクリートスラブの貫通孔縁部に載置固定する固定片と，上記貫通孔内で排水集合管の胴部を被嵌支持するように上記固定片に設置した支持バンドとを備え，該支持バンドをその上下端を上端径大にして下端径小の同心円をなすように内周を傾斜面とした逆裁頭円錐形一体にしてその内周面に防振材を配置して形成し，上記排水集合管を上記貫通孔内の下向き傾斜胴部において被嵌支持自在としてなることを特徴とする排水集合管支持金具としたものである。
【０００８】
請求項２に記載の発明は，上記に加えて，支持バンドによって挟み込み支持した傾斜胴部を支持バンドからの固定ネジで圧接することによって支持バンドを傾斜胴部に対して固定して排水集合管に支持金具を一体的に装着し得るものとするように，これを，コンクリートスラブの貫通孔縁部に載置固定する固定片と，上記貫通孔内で排水集合管の胴部を被嵌支持するように上記固定片に設置した支持バンドと，該支持バンドに，該支持バンドに進退自在に配置して排水集合管の被嵌支持した胴部に圧接して支持バンドを該胴部に固定する固定ネジとを備え，上記支持バンドをその上下端を上端径大にして下端径小の同心円をなすように内周を傾斜面とした逆裁頭円錐形一体にしてその内周面に防振材を配置して形成し，上記排水集合管を上記貫通孔内の下向き傾斜胴部において被嵌支持自在としてなることを特徴とする排水集合管支持金具としたものである。
【０００９】
請求項３に記載の発明は，例えば上記請求項１に記載の支持金具を用いたときに，その好ましい排水集合管設置方法を提供するように，これを，固定片と，コンクリートスラブの貫通孔内で排水集合管の胴部を被嵌支持するように上記固定片に設置した支持バンドとを備え，該支持バンドをその上下端を上端径大にして下端径小の同心円をなすように内周を傾斜面とした逆裁頭円錐形一体にしてその内周面に防振材を配置して形成した支持金具を用い，コンクリートスラブの貫通孔縁部に上記固定片を載置して該貫通孔内に支持バンドを配置する支持金具設置工程と，該貫通孔内の支持バンドに配管集合管を落し込み該排水集合管の下向き傾斜胴部を支持バンドに被嵌支持して貫通孔内に排水集合管を設置支持する排水集合管設置工程と，該排水集合管設置工程の前又は後に上記貫通孔縁部に載置した固定片をアンカーによってコンクリートスラブに固定する支持金具固定工程とを備えてなることを特徴とする排水集合管設置方法としたものである。
【００１０】
請求項４に記載の発明は，同じく例えば上記請求項２に記載の支持金具を用いたときに，その好ましい排水集合管設置方法を提供するように，これを，固定片と，コンクリートスラブの貫通孔内で排水集合管の胴部を被嵌支持するように上記固定片に設置した支持バンドと，該支持バンドで被嵌支持した排水集合管の胴部に圧接自在の固定ネジとを備え，上記支持バンドをその上下端を上端径大にして下端径小の同心円をなすように内周を傾斜面とした逆裁頭円錐形一体にしてその内周面に防振材を配置して形成した支持金具を用い，上記排水集合管の下向き傾斜胴部に支持バンドを被嵌支持し固定ネジを傾斜胴部に圧接して支持金具を排水集合管に装着する支持金具装着工程と，該支持金具を装着した排水集合管を貫通孔内に落し込みコンクリートスラブの貫通孔縁部に上記固定片を載置して該貫通孔内に排水集合管を設置支持する排水集合管設置工程と，上記貫通孔縁部に載置した固定片をアンカーによってコンクリートスラブに固定する支持金具固定工程とを備えてなることを特徴とする排水集合管設置方法としたものである。
【００１１】
本発明はこれらをそれぞれ発明の要旨として上記課題解決の手段とするものである。
【発明の効果】
【００１２】
本発明は以上のとおりに構成したから，請求項１に記載の発明は，単に支持バンドを排水集合管の下端から嵌め込むか，支持バンドに排水集合管を落とし込むことによって，支持バンドが傾斜胴部に面接してその安定且つ確実な挟み込み支持を行なうとともに傾斜胴部の挟み込み支持の位置が定まることによってその位置出しを自ずとなし得るようにして，上記支持金具のメリットを維持しつつ煩雑な作業を必要とせずに，排水集合管の設置を可及的簡易且つ安定してなし得るようにした排水集合管支持金具を提供することができる。
【００１３】
請求項２に記載の発明は，上記に加えて，支持バンドによって挟み込み支持した傾斜胴部を支持バンドからの固定ネジで圧接することによって支持バンドを傾斜胴部に対して固定して排水集合管に支持金具を一体的に装着し得るようにした排水集合管支持金具を提供することができる。
【００１４】
請求項３に記載の発明は，例えば上記請求項１に記載の支持金具を用いたときの好ましい排水集合管設置方法を提供することができ，また請求項４に記載の発明は，同じく例えば上記請求項２に記載の支持金具を用いたときの好ましい排水集合管設置方法を提供することができる。
【発明を実施するための最良の形態】
【００１５】
以下図面の例に従って本発明を更に具体的に説明すれば，図１乃至図３において，１はコンクリートスラブ，２は排水集合管，３は該排水集合管２をコンクリートスラブ１の貫通孔１１に設置するに使用する支持金具であり，該支持金具３は，コンクリートスラブ１の貫通孔１１縁部に載置固定する固定片３１と，貫通孔１１内で排水集合管２の胴部を被嵌支持するように上記固定片３１に設置した支持バンド３４とを備え，該支持バンド３４をその上下端を上端径大にして下端径小の同心円をなすように内周を傾斜面とした逆裁頭円錐形一体にしてその内周面に防振材３５を配置して形成し，上記排水集合管２を上記貫通孔１１内の下向き傾斜胴部２３において被嵌支持自在としたものとしてある。
【００１６】
即ち支持金具Ａは鋼板に折曲，孔開け等所定の加工を施すことによって形成した鋼製のものとしてあり，本例にあってそれぞれコンクリートスラブ１面内方向に向けて長孔としたアンカー孔３２を透設した対向位置２ヶ所の対向一対の固定片３１を水平に備えるとともに該固定片３１の内側端部から内方下方に傾斜して一体に配置した連結板３３を介してその下端に支持バンド３４を配置してあり，本例にあって該支持バンド３４は上記連結板３３の内側に別体に形成した支持バンド３４を配置し，連結板３３の内周面と支持バンド３４の外周面との間に適宜に溶接を施して，これらを一体的に固定することによって一体のものとしてある。
【００１７】
支持バンド３４は，例えば１〜２ｃｍ程度の高さ幅を有する短寸幅にして上端を径大に下端を径小とする上下端で同心円をなす，短寸ながら裁頭の逆円錐形をなすものとし，これによって内周を上記上下端の同心円を結ぶように断面直線の傾斜面をなすものとしてある。
【００１８】
このとき支持バンド３４における上下端の同心円とこれを結ぶ内周の傾斜面は，その径と角度とを所定の排水集合管２における横枝管接続用の継手２２を設置した垂直胴部２１から排水立管接続のための下端の継手との間の下方に向けて径小化した下向き傾斜胴部２３所定位置の径と角度に合せてこれを設定するとともに上記固定片３１からの連結板３３の長さを該傾斜胴部２３の位置に合せて設定することによって，例えば支持バンド３４に排水集合管２を落とし込むことによって，該支持バンド３４が傾斜胴部２３に面接してその安定且つ確実な挟み込み支持を行なうとともに傾斜胴部２３の挟み込み支持の位置が定まることによってその位置出しを自ずとなし得るようにして，排水集合管２の継手２２がコンクリートスラブ１の表面に対して非接触の近接した状態となるように位置して，高さに制約のある床下空間で流れ勾配を付して排水集合管に至る横枝管をその流れ勾配端末位置で接続し得るようにしてある。
【００１９】
支持バンド３４の内周には，本例にあってその内周方向全面に防振材３５として防振ゴムを配置し，これによって排水集合管２を介した振動の伝達を防止するようにしてあり，このとき本例の支持金具３にあっては上記固定片３１下面にも同様に防振材３５として防振ゴムを配置したものとしてある。
【００２０】
このように形成した支持金具３を用いた排水集合管２の設置は，例えば支持金具設置工程と，排水集合管設置工程と，支持金具固定工程とを備えた設置方法によって，これを行なうようにしてある。
【００２１】
支持金具設置工程は，コンクリートスラブ１の貫通孔１１縁部に，本例にあって対向一対の固定片３１を載置して該貫通孔１１内に支持バンド３４を配置する工程としてあり，該支持金具３の設置は，支持バンド３４を貫通孔内に落とし込み挿入する如くに対向一対の固定片３１をコンクリートスラブ１の貫通孔１１縁部に引掛状とするように載置するようにすればよく，これによって支持金具３はその支持バンド３４が排水集合管２の定位置に位置して貫通孔１１に設置される。
【００２２】
排水集合管設置工程は，該貫通孔１１内の支持バンド３４に配管集合管２を落し込み該排水集合管２の下向き傾斜胴部２３を支持バンド３４に被嵌支持して貫通孔１１内に排水集合管２を設置支持する工程としてあり，該排水集合管２の設置支持は，上記貫通孔１１に設置した支持バンド３４に対して排水集合管２を手持ちしてこれを，支持バンド３４が排水集合管２の差込を受け止めする位置まで貫通孔１１に対して差込挿入するように行えばよく，これによって排水集合管２は，その継手２２がコンクリートスラブ１の表面に非接触の近接した状態に支持金具３によって支持される。
【００２３】
支持金具固定工程は，該排水集合管設置工程の前又は後に上記貫通孔１１縁部に載置した，本例にあって対向一対の固定片３１を図示省略のアンカーによってコンクリートスラブ１に固定する工程としてあり，本例にあっては排水集合管設置工程の後に，各固定片３１のアンカー孔３２を介してコンクリートアンカーによって常法に従って固定するようにすればよい。
【００２４】
排水集合管２設置完了後に継手２２に床下空間に流れ勾配を付して配置した横枝管を常法に従って接続して該フロアの排水配管工事を行なうことができる。
【００２５】
図４及び図５は他の例を示すもので，本例にあって支持金具３は，上記図１乃至図３の支持金具３と基本構成を同一とする一方，上記支持バンド３４に，該支持バンド３４に進退自在に配置して排水集合管２の被嵌支持した胴部，即ち傾斜胴部２３に圧接して支持バンド３４を該胴部２３に固定する固定ネジ３６を備えて形成した例であり，本例の固定ネジ３６は，例えば支持バンド３４の対向２ヶ所に雌ネジのバーリング加工によって配置した水平のナット部にそれぞれ固定ネジ３６を螺入して支持バンドに対して進退自在とし，ネジ込み方向に回転することによって対向一対の２ヶ所で排水集合管２の傾斜胴部２３にその先端を圧接し，排水集合管２に支持金具３を一体的に装着するようにしてある。その余の基本構成は上記図１乃至図３の例と変らないので同一符合を付してその説明を省略する。
【００２６】
本例の支持金具３を用いた排水集合管２の設置は，例えば支持金具装着工程と，排水集合管設置工程と，支持金具固定工程とを備えた設置方法によって，これを行なうようにしてある。
【００２７】
支持金具装着工程は，上記排水集合管２の下向き傾斜胴部２３に支持バンド３４を被嵌支持し固定ネジ３６を傾斜胴部２３に圧接して支持金具３を排水集合管２に装着する工程としてあり，該支持金具３の排水集合管２への装着は，例えば排水集合管２を手持ちし又は横倒しにした状態で下端の排水立管用の継手に下方から支持バンド３４を被せるように配置して支持バンド３４が排水集合管２の傾斜胴部２３に受け止めされる位置までスライド移動し，対向一対の固定ネジ３６をその先端が傾斜胴部２３に圧接するように回転操作するようにこれを行えばよく，これによって支持バンド３４は自ずと定位置に位置出しされるように設置されるに至る。
【００２８】
排水管設置工程は，該支持金具３を装着した排水集合管２を貫通孔１１内に落し込みコンクリートスラブ１の貫通孔１１縁部に上記固定片３１を載置して該貫通孔１１内に排水集合管２を設置支持する工程としてあり，該排水集合管２の設置支持は，例えば排水集合管２の継手２２を手持ちして，上記固定ネジ３６によってこれに一体化した支持金具３とともに該排水集合管２をコンクリートスラブ１の貫通孔１１の孔内に差込挿入し，支持金具３の固定片３１を該貫通孔１１縁部に載置するようにすればよく，これによって排水集合管２は，その継手２２がコンクリートスラブ１の表面に非接触の近接した状態に支持金具３によって支持され，制約された高さの床下空間で勾配を付して配置されてその勾配端末がコンクリートスラブ１側に下がった横枝管の接続に適した位置にその継手２２が存在するようにすることができる。
【００２９】
支持金具固定工程は，その後に上記貫通孔１１縁部に載置した固定片３１をアンカーによってコンクリートスラブに固定する工程としてあり，上記例と同様にこれを行なえばよい。
【００３０】
この場合も排水集合管２設置完了後に同じく横枝管を接続して該フロアの排水配管工事を行なうことができる。
【００３１】
図示した例は以上のとおりとしたが，固定片を例えば１２０度の角度に３ヶ所，９０度の角度に４ヶ所等複数のものとし，また３６０度の角度の平面円形フランジによるものとすること等を含めて，本発明の実施に当って，排水集合管，支持金具，その固定片，支持バンド，必要に応じて用いる固定ネジ等の各具体的形状，構造，材質，これらの関係，これらに対する付加，排水集合管設置の方法等は，上記発明の要旨に反しない限り様々の形態のものとすることができる。
【図面の簡単な説明】
【００３２】
【図１】支持金具の側面図である。
【図２】支持金具の平面図である。
【図３】支持金具による排水集合管設置状態を示す縦断面図である。
【図４】他の例の支持金具の側面図である。
【図５】図４の支持金具による排水集合管設置状態を示す縦断面図である。
【符号の説明】
【００３３】
１  コンクリートスラブ
１１  貫通孔
２  排水集合管
２３  傾斜胴部
３  支持金具
３１  固定片
３３  連結板
３４  支持バンド
３５  防振材
３６  固定ネジ
【図１】
2006105242.tif 000003
【図２】
2006105242.tif 000004
【図３】
2006105242.tif 000005
【図４】
2006105242.tif 000006
【図５】
2006105242.tif 000007